【手続補正書】
【提出日】平成16年11月9日(2004.11.9)
【手続補正１】
【補正対象書類名】明細書
【補正対象項目名】００２２
【補正方法】変更
【補正の内容】
【００２２】
不揮発性メモリ５０５には、ロックフラグ格納部５０５ａと、音声認証処理部５１２を起動するための条件データを格納する音声認証処理部起動条件データ格納部５０５ｂと、本携帯電話機５の真の所有者の音声認証用データを格納する音声認証用データ格納部５０５ｃと、着信履歴データを格納する着信履歴データ格納部５０５ｄとが設けられている。なお、パスワード格納部５０５ｅが設けられている場合もある。
【手続補正２】
【補正対象書類名】明細書
【補正対象項目名】００３２
【補正方法】変更
【補正の内容】
【００３２】
次に、真の所有者が携帯電話機５を回収できた際に、ロック状態を解除するための処理を図４を用いて説明する。なお、処理は図３の端子Ａから移行する形となる。コントローラ５１１は、所定のキー入力がなされたかを判断する（ステップＳ３１）。所定のキー入力を検出しない場合には、所定のキー入力がなされるまで待つ（ステップＳ３１：Ｎｏルート）。所定のキー入力を検出した場合には（ステップＳ３１：Ｙｅｓルート）、音声認証処理部５１２を起動し、音声認証処理部５１２は音声入力を促す（ステップＳ３３）。例えば携帯電話機５の表示部に音声入力を促す表示を実施したり、音声合成によりスピーカにて例えば「お名前をお話しください」といった音声ガイダンスを行ってもよい。そしてマイクからの音声入力に応じて音声認証処理部５１２は音声認証処理を実施する（ステップＳ３５）。音声認証処理部５１２は認証結果をコントローラ５１１に出力する。コントローラ５１１は、認証結果が認証成功を示しているか判断する（ステップＳ３７）。認証失敗の場合にはステップＳ３１に戻る。一方、認証に成功したと判断される場合には、コントローラ５１１は不揮発性メモリ５０５のロックフラグ格納部５０５ａのロックフラグをオフに設定する（ステップＳ３９）。そして、キー入力無効化を解除する（ステップＳ４１）。これにより、真の所有者は携帯電話機５の使用を再開することができるようになる。
【手続補正３】
【補正対象書類名】明細書
【補正対象項目名】００３３
【補正方法】変更
【補正の内容】
【００３３】
なお、不揮発性メモリ５０５のロックフラグ格納部５０５ａにロックフラグが設定されるため、携帯電話機５の電池がはずされたり、電池に蓄積された電力がなくなった場合等であっても、コントローラ５１１は所定のキー以外のキーの無効化を維持することができる。電池が再度セットされたり、電池が充電された後の処理について図５を用いて説明する。携帯電話機５に電源が再投入されると、コントローラ５１１が自動的に起動される（ステップＳ４５）。そして、コントローラ５１１は、不揮発性メモリ５０５のロックフラグ格納部５０５ａを参照して、ロックフラグがオンかオフかをチェックする（ステップＳ４７）。そして、ロックフラグがオフであれば（ステップＳ４９：Ｎｏルート）、通常の処理を実施する（ステップＳ５３）。すなわち、いずれのキー入力をも受け付け、キー入力に従った処理を実施する。一方、ロックフラグがオンであれば（ステップＳ４９：Ｙｅｓルート）、コントローラ５１１は所定のキー以外のキー入力を無効化する（ステップＳ５１）。もし、所定のキーの入力があった場合には図４の処理を実施する。
【手続補正４】
【補正対象書類名】明細書
【補正対象項目名】００３４
【補正方法】変更
【補正の内容】
【００３４】
このように、電源を切られたとしても不揮発性メモリ５０５に記録されているので、ロックフラグの状態は維持され、コントローラ５１１が必ずロックフラグを参照するので、ロック状態が維持できる。
【手続補正５】
【補正対象書類名】明細書
【補正対象項目名】００３６
【補正方法】変更
【補正の内容】
【００３６】
［実施の形態２］
次に、ロック処理サーバ７を使用する場合の構成及び処理フローを図６乃至図１０を用いて説明する。実施の形態２に係る携帯電話機５の機能ブロック図を図６に示す。携帯電話機５には、無線基地局９と通信を行う無線通信部５５３と、ＯＳを含むソフトウエアが携帯電話機５のＣＰＵに実行されることにより実現される処理部５５１と、処理部５５１がアクセスする不揮発性メモリ５５５と、複数のキー（ボタン）とマイクとを含む入力部５５４と、表示部及びスピーカを含む出力部５５２とが設けられている。処理部５５１には、実施の形態２に係る主要な処理を実施するコントローラ５６１と、メールを送受信するためのメーラ５６２とが含まれる。なお、音声認証処理部５６３が含まれる場合もある。
【手続補正６】
【補正対象書類名】明細書
【補正対象項目名】００３７
【補正方法】変更
【補正の内容】
【００３７】
不揮発性メモリ５５５には、ロックフラグ格納部５５５ａと、キーワードを格納するキーワード格納部５５５ｂと、所定のキー以外のキー入力を無効化するロック状態を開始するためのロック開始条件のデータを格納するロック開始条件データ格納部５５５ｃと、着信履歴データを格納する着信履歴データ格納部５５５ｄとが設けられている。なお、本携帯電話機５の真の所有者の音声認証用データを格納する音声認証用データ格納部５５５ｅやロック処理サーバ７の電話番号を格納するロック処理サーバ電話番号格納部５５５ｆが設けられている場合もある。
【手続補正７】
【補正対象書類名】明細書
【補正対象項目名】００４６
【補正方法】変更
【補正の内容】
【００４６】
これに対して携帯電話機５は、着信処理を実施する（ステップＳ６５）。より具体的には、無線基地局９から携帯電話機５に所定の無線信号が送信されるため、携帯電話機５の無線通信部５５３は所定の無線信号を受信して着信を検出する。この着信時には、発信者番号通知を行っている場合にはロック処理サーバ７の電話番号、ロック処理サーバ７が電話番号に加えて＃や＊といった区切り記号を発信し、さらにその後に所定長のキー・コードを発信した場合には、当該キー・コードの情報を受信する。また、携帯電話機５に２以上の電話番号が割り当てられている場合には、携帯電話機５はいずれの電話番号について着信したのかを識別できるものとする。なお、着信を検出した場合には、不揮発性メモリ５５５の着信履歴データ格納部５５５ｄに着信データが追加される。無線通信部５５３は、着信をコントローラ５６１に通知する。但し、無線通信部５５３は、データ通信にてメールを受信した場合には、メーラ５６２に受信したメールを出力する。メーラ５６２は受信したメールの送信元メールアドレスの情報を取得し、コントローラ５６１に出力する。
【手続補正８】
【補正対象書類名】明細書
【補正対象項目名】００４９
【補正方法】変更
【補正の内容】
【００４９】
このように本実施の形態では、ロック処理サーバ７と接続する前に得られる情報を基にロックを開始するか否かを判断する。この他着信時に得られる情報に関連する条件をロック開始条件データ格納部５５５ｃに予め登録しておき、コントローラ５６１が当該条件を満たしているか判断しても良い。
【手続補正９】
【補正対象書類名】明細書
【補正対象項目名】００５０
【補正方法】変更
【補正の内容】
【００５０】
もし、条件を満たしていないと判断した場合には元の状態に戻る。一方、ロック開始条件を満たしたと判断された場合には、コントローラ５６１は、通常の着信動作を禁止する（ステップＳ６８）。また、不揮発性メモリ５５５のロックフラグ格納部５５５ａのロックフラグをオンにセットする（ステップＳ６９）。そして、所定のキー以外のキー入力を無効化する（ステップＳ７１）。
【手続補正１０】
【補正対象書類名】明細書
【補正対象項目名】００５２
【補正方法】変更
【補正の内容】
【００５２】
次に、真の所有者が携帯電話機５を回収できた際に、ロック状態を解除するための処理を図９を用いて説明する。なお、処理は図７の端子Ｂから移行する形となる。コントローラ５６１は、所定のキー入力がなされたかを判断する（ステップＳ８１）。所定のキー入力を検出しない場合には、所定のキー入力がなされるまで待つ（ステップＳ８１：Ｎｏルート）。所定のキー入力を検出した場合には（ステップＳ８１：Ｙｅｓルート）、コントローラ５６１はキーワード入力を促す（ステップＳ８３）。例えば携帯電話機５の表示部にキーワード入力を促す表示を実施したり、音声合成によりスピーカにて例えば「キーワードを入力してください」といった音声ガイダンスを行ってもよい。そしてキーワード入力に応じてコントローラ５６１は認証処理を実施する。すなわち、入力されたキーワードと不揮発性メモリ５５５のキーワード格納部５５５ｂに登録されているキーワードとを照合し、コントローラ５６１は認証が成功したか判断する（ステップＳ８５）。認証失敗の場合にはステップＳ８１に戻る。一方、認証に成功したと判断される場合には、コントローラ５６１は不揮発性メモリ５５５のロックフラグ格納部５５５ａのロックフラグをオフに設定する（ステップＳ８７）。そして、キー入力無効化を解除する（ステップＳ８９）。これにより、真の所有者は携帯電話機５の使用を再開することができるようになる。
【手続補正１１】
【補正対象書類名】明細書
【補正対象項目名】００５３
【補正方法】変更
【補正の内容】
【００５３】
なお、図９では携帯電話機５の内部のみでロック状態を解除するための処理を実施していたが、ロック処理サーバ７を用いてロック状態を解除するような構成であってもよい。この場合の例を図１０を用いて説明する。なお、処理は図７の端子Ｂから移行する形となる。コントローラ５６１は、所定のキー入力がなされたか判断する（ステップＳ９１）。所定のキー入力を検出しない場合には、所定のキー入力がなされるまで待つことになる（ステップＳ９１：Ｎｏルート）。一方、所定のキー入力を検出した場合には（ステップＳ９１：Ｙｅｓルート）、コントローラ５６１は不揮発性メモリ５５５のロック処理サーバ電話番号格納部５５５ｆからロック処理サーバ７の電話番号を読み出し、無線通信部５５３に電話をかけさせる（ステップＳ９３）。ロック処理サーバ７の電話番号は、ロック解除のための認証処理を実施するための電話番号であって、当該電話番号に電話することは認証要求を行うを意味する。この際に、発信者番号通知により携帯電話機５の電話番号を通知する。
【手続補正１２】
【補正対象書類名】明細書
【補正対象項目名】００５４
【補正方法】変更
【補正の内容】
【００５４】
ロック処理サーバ７では、着信を検出し、携帯電話機５の電話番号を受信する（ステップＳ９５）。そして、会員ＤＢ７１を携帯電話機５の電話番号で検索して、当該電話番号に対応するロックフラグがＯＮになっているか確認する。もし、ロックフラグがＯＦＦになっていれば、認証開始条件が満たされていない、すなわちロックがかけられていないのにロック解除を要求していることになるので（ステップＳ９７：Ｎｏルート）、ロック処理サーバ７は携帯電話機５との通信を切断し（ステップＳ９９）、処理を終了する。なお、認証開始条件を満たしていない旨の通知を携帯電話機５に通知してもよい。一方、ロックフラグがＯＮになっていれば、認証開始条件が満たされていると判断できるので（ステップＳ９７：Ｙｅｓルート）、携帯電話機５の保持者に対して音声入力を促す音声情報を携帯電話機５に出力する（ステップＳ１０１）。
【手続補正１３】
【補正対象書類名】明細書
【補正対象項目名】００５８
【補正方法】変更
【補正の内容】
【００５８】
なお、図７ではステップＳ６８で通常の着信動作を禁止するような構成を示したが、このステップを実施しないような構成であってもよい。また、図７の端子Ｂから図９の処理に移行する例を示したが、携帯電話機５に音声認証処理部５６３が設けられている場合には図７の代わりに図４の処理を実施するようにしても良い。また、図３の端子Ａから図４の処理に移行する例を示したが、図４の代わりに図９の処理を実施するようにしても良い。この場合には不揮発性メモリ５０５のパスワード格納部５０５ｅにキーワードが登録されている必要がある。
【手続補正１４】
【補正対象書類名】明細書
【補正対象項目名】符号の説明
【補正方法】変更
【補正の内容】
【符号の説明】
１  公衆回線網    ３  電話機    ５  携帯電話機
７  ロック処理サーバ    ９  無線基地局
１１  インターネット    １３  携帯電話ネットワーク
１５  メール・サーバ    ７１  会員ＤＢ
５０１，５５１  処理部
５０２，５５２  出力部
５０３，５５３  無線通信部
５０４，５５４  入力部
５０５，５５５  不揮発性メモリ
【手続補正１５】
【補正対象書類名】図面
【補正対象項目名】図６
【補正方法】変更
【補正の内容】
【図６】
2003163971.tif 000001